(57)【要約】【課題】起動中のプログラムのウィンドウ内の表示内容を一括して拡大・縮小させることを可能とした情報処理装置および表示制御方法を提供することを目的とする。【解決手段】ＣＰＵ１１は、例えば拡大ボタン１０Ａまたは縮小ボタン１０Ｂの操作に従い、ズーミングユーティリティプログラム２０１を実行し、起動中のアプリケーションプログラムを検索して、その検索した各アプリケーションプログラムのウィンドウ内の表示内容を拡大・縮小する。【選択図】      図２
2005165471.tif 000002
【特許請求の範囲】
【請求項１】
起動されたプログラムを表示画面上にウィンドウ表示することが可能な情報処理装置において、
操作手段と、
前記起動されたプログラムを検知する検知手段と、
前記操作手段の操作に従い、前記検知手段により検知されたプログラムのウィンドウ内の表示内容を拡大または縮小する表示制御手段と
を具備することを特徴とする情報処理装置。
【請求項２】
前記表示制御手段は、前記操作手段の操作に従い、前記プログラムのウィンドウ内の表示内容を段階的に拡大または縮小することを特徴とする請求項１記載の情報処理装置。
【請求項３】
前記表示制御手段は、前記操作手段の操作に伴い、前記プログラムのウィンドウ内の表示内容を一定の倍率で拡大または縮小することを特徴とする請求項１記載の情報処理装置。
【請求項４】
前記表示制御手段は、前記プログラムが備える表示に関する拡大・縮小処理機能を起動することにより、前記プログラムのウィンドウ内の表示内容を拡大または縮小することを特徴とする請求項１記載の情報処理装置。
【請求項５】
前記操作手段は、拡大または縮小を指示する専用の操作ボタンを有して構成されることを特徴とする請求項１記載の情報処理装置。
【請求項６】
前記操作手段は、拡大または縮小を指示する専用の操作ダイヤルを有して構成されることを特徴とする請求項１記載の情報処理装置。
【請求項７】
キーボードをさらに具備し、
前記操作手段は、前記キーボード上に設けられたキーを用いて構成されることを特徴とする請求項１記載の情報処理装置。
【請求項８】
前記表示制御手段は、前記操作手段の操作に従い、プログラムファイルまたはデータファイルの種類を表し前記表示画面上に操作ボタンとして表示されるアイコンを検知して拡大または縮小することを特徴とする請求項１記載の情報処理装置。
【請求項９】
起動されたプログラムを表示画面上にウィンドウ表示することが可能な情報処理装置の表示制御方法であって、
所定の操作を受け付け、前記起動されたプログラムを検知し、この検知したプログラムのウィンドウ内の表示内容を拡大または縮小することを特徴とする表示制御方法。
【請求項１０】
さらに、前記所定の操作を受け付けた際、プログラムファイルまたはデータファイルの種類を表し前記表示画面上に操作ボタンとして表示されるアイコンを検知して拡大または縮小することを特徴とする請求項９記載の表示制御方法。
【発明の詳細な説明】
【技術分野】
【０００１】
この発明は、例えばパーソナルコンピュータなどの電子機器における表示制御技術に関する。
【背景技術】
【０００２】
近年、ノートブックタイプやデスクトップタイプ等、様々なタイプのパーソナルコンピュータが開発・販売され、広く普及している。この種のパーソナルコンピュータでは、マウスやタッチパッド等のポインティングデバイスでプログラムの起動等の各種操作を実行可能ないわゆるグラフィカルユーザインタフェース（ＧＵＩ）を採用しているのが一般的である。そして、従来より、このＧＵＩによる情報の提示をユーザにとって利便性の高いものとするための手法が種々提案されている（例えば特許文献１等参照）。
【特許文献１】特開平４−２４３４２２号公報
【発明の開示】
【発明が解決しようとする課題】
【０００３】
ところで、最近のパーソナルコンピュータでは、例えばＬＣＤやＣＲＴ等に表示する同一画面上にウインドウなどと称される複数の表示領域を設けることにより、複数のアプリケーションプログラムを並行して動作させることが可能である。従って、起動中の複数のアプリケーションプログラムの表示内容を一括して拡大・縮小させることができれば、その使い勝手を向上させることができる。
【０００４】
しかしながら、従前の画面表示における拡大・縮小機能では、前述のようにメニュー領域のみを拡大するものであったり、あるいは、例えばユーザの意図しないウインドウ外の情報を含むすべての情報を拡大・縮小するものであったり、各ウインドウの枠と共にその表示内容を拡大・縮小するものであった。
【０００５】
この発明は、このような事情を考慮してなされたものであり、起動中のプログラムのウィンドウ内の表示内容を一括して拡大・縮小させることを可能とした情報処理装置および表示制御方法を提供することを目的とする。
【課題を解決するための手段】
【０００６】
前述した目的を達成するために、この発明は、起動されたプログラムを表示画面上にウィンドウ表示することが可能な情報処理装置において、操作手段と、前記起動されたプログラムを検知する検知手段と、前記操作手段の操作に従い、前記検知手段により検知されたプログラムのウィンドウ内の表示内容を拡大または縮小する表示制御手段とを具備することを特徴とする。
【発明の効果】
【０００７】
このように、この発明によれば、起動中のプログラムのウィンドウ内の表示内容を一括して拡大・縮小させることが可能である。
【発明を実施するための最良の形態】
【０００８】
以下、図面を参照してこの発明の実施形態を説明する。  
図１は、この発明の実施形態に係る情報処理装置の外観を示す図である。ここではバッテリ駆動可能なノートブックタイプの携帯型パーソナルコンピュータを想定する。図示のように、このコンピュータは、コンピュータ本体１と、ディスプレイユニット（表示部筐体）２とから構成される。
【０００９】
コンピュータ本体１は、薄い箱形の筐体を有しており、その筐体上面には、キーボード２０が配置され、キーボード２０の手前の筐体部分上面には、アームレストが形成されている。このアームレストのほぼ中央部には、タッチパネル４が設けられている。さらにこの筐体上面には、ディスプレイユニット２を回動自在に支持するヒンジ部とキーボード２０との間に操作ユニット５が設けられ、この操作ユニット５に、後述する拡大ボタン１０Ａと縮小ボタン１０Ｂが設けられる。また、ディスプレイユニット２には、例えばＬＣＤを用いた表示装置が表示デバイス１２１として組み込まれている。このディスプレイユニット２は、前述のヒンジ部によりコンピュータ本体１に対して解放位置と閉塞位置との間を回動自在に取り付けられている。
【００１０】
また、図２は、このコンピュータのシステム構成を示す図である。図示のように、このコンピュータシステムは、ＣＰＵ１１、グラフィック・メモリコントローラハブ１２、メモリ（主記憶）１３、グラフィックスコントローラ１４、ＶＲＡＭ（ビデオＲＡＭ）１４１、Ｉ／Ｏハブ１５、ＢＩＯＳ−ＲＯＭ１６、ハードディスクドライブ（ＨＤＤ）１７、サウンドコントローラ１８、キーボード・エンベッテッドコントローラ（ＥＣ／ＫＢＣ）１９、キーボード２０、表示デバイス（ＤＩＳＰ）１２１等を備えている。さらに、ユーザの操作手段として、図１にも示した拡大ボタン１０Ａおよび縮小ボタン１０Ｂが設けられる。そして、この拡大ボタン１０Ａまたは縮小ボタン１０Ｂが操作されると、その操作に伴うイベント通知がキーボード・エンベッテッドコントローラ１９から発行され、ＣＰＵ１１に通知される。そうすると、ＣＰＵ１１は、起動中の各ウィンドウ内の表示内容をその操作に応じて拡大・縮小すべく表示制御を実行する。この際の処理手順については後述する。
【００１１】
ＣＰＵ１１は、本コンピュータの動作を制御するために設けられたもので、ハードディスクドライブ１７からメモリ１３にロードされたオペレーティングシステム（ＯＳ）、アプリケーションプログラムおよびユーティリティプログラム等に従い、各種の処理を実行する。そして、このユーティリティプログラムの中の１つとして、ズーミングユーティリティプログラム（ＺＵＰ）２０１が存在する。
【００１２】
メモリ１３には、ズーミングユーティリティプログラム（ＺＵＰ）２０１、ズーミングユーティリティプログラム２０１により参照されるアプリケーション参照テーブル（ＴＢＬ−Ａ）２１１、ズーミングユーティリティに関するプロパティ設定テーブル（ＴＢＬ−Ｂ）２１２およびズーミング処理起動テーブル（ＴＢＬ−Ｃ）２１３等が格納される。さらに、このメモリ１３には、起動中の各ウィンドウの設定情報をもつレジストリィ群２０２が格納される。ズーミングユーティリティプログラム２０１は、システム起動時において、ハードディスクドライブ１７からロードされる。なお、アプリケーション参照テーブル（ＴＢＬ−Ａ）２１１、ズーミングユーティリティに関するプロパティ設定テーブル（ＴＢＬ−Ｂ）２１２およびズーミング処理起動テーブル（ＴＢＬ−Ｃ）２１３の構成例については後述する。
【００１３】
ズーミングユーティリティプログラム２０１は、アプリケーション参照テーブル（ＴＢＬ−Ａ）２１１、ズーミングユーティリティに関するプロパティ設定テーブル（ＴＢＬ−Ｂ）２１２、ズーミング処理起動テーブル（ＴＢＬ−Ｃ）２１３等を参照して、各ウィンドウ内の表示内容についての拡大・縮小処理や、基本画面であるデスクトップ画面上のアイコンの拡大・縮小処理を実行する。なお、アイコンの拡大・縮小処理は、レジストリィ群２０２に含まれるデスクトップ画面上のアイコンに関わる設定情報を書き換えることにより、デスクトップ画面上のアイコンを拡大・縮小表示するものである。一方の各ウィンドウ内の表示内容についての拡大・縮小処理を含むこの拡大・縮小処理機能（ズーミング処理機能）の詳細については後述する。
【００１４】
グラフィックスコントローラ１４は、ＣＰＵ１１が実行するオペレーティングシステム（ＯＳ）の制御の下に、表示デバイス１２１を表示駆動制御するとともに、図示しないＣＲＴ端子、ＤＶＩ端子、ＴＶ端子等、各種外部ディスプレイの接続インタフェースを介して接続された外部表示デバイスを表示駆動制御する。
【００１５】
キーボード・エンベッテッドコントローラ（ＥＣ／ＫＢＣ）１９は、システム電源管理やキーボードコントローラ等の機能を実現するマイクロプロセッサを含んだ集積デバイスであり、ここでは、キーボード２０に加え、前述の拡大ボタン１０Ａおよび縮小ボタン１０Ｂの入力処理を行う。キーボード・エンベッテッドコントローラ１９は、この拡大ボタン１０Ａまたは縮小ボタン１０Ｂが押下操作されると、その操作に伴う表示制御コマンドをＣＰＵ１１に通知する。ＣＰＵ１１は、キーボード・エンベッテッドコントローラ１９から当該拡大ボタン１０Ａまたは縮小ボタン１０Ｂの押下操作に伴う表示制御コマンドを受けると、ズーミングユーティリティプログラム２０１を実行する。
【００１６】
図３乃至図５に、このズーミングユーティリティプログラム２０１が参照する各種テーブルの構成例を示す。  
図３は、アプリケーション参照テーブル（ＴＢＬ−Ａ）２１１の構成例を示したものであり、ここでは、このシステムで扱うことのできる各種アプリケーションプログラムについて、クラス名、ウィンドウ名およびアプリケーション名がそれぞれ対応付けられて登録されている。このアプリケーション参照テーブル（ＴＢＬ−Ａ）２１１を参照することによって、クラス名またはクラス名とウィンドウ名とから、そのアプリケーションプログラムを特定することができる。
【００１７】
図４は、ズーミングユーティリティに関するプロパティ設定テーブル（ＴＢＬ−Ｂ）２１２の構成例を示したものであり、同図（ａ）に示すズーミングユーティリティに関するプロパティ画面上で設定された内容が同図（ｂ）に示すプロパティ設定テーブル（ＴＢＬ−Ｂ）２１２に設定され保持される。図４（ａ）に示すズーミングユーティリティに関するプロパティ画面は、例えばマウスプロパティの設定と同様の操作手順であり、図示される各項目の設定が可能である。この例では、ズーミングユーティリティ機能の自動／手動設定、手動設定下での対象アプリケーションの設定、システムトレイ上への当該プロパティアイコンの表示設定、デスクトップ画面上の変更前のアイコン表示位置の設定等が可能である。これらの設定内容が図４（ｂ）に示すプロパティ設定テーブル（ＴＢＬ−Ｂ）２１２に保持される。尚、このテーブルに設定されるアプリケーションプログラムは、ズーミング処理機能（ズーミング処理ルーチン）を有するもののみであり、ズーミング処理機能をもたないアプリケーションは、手動設定の際の検索対象からは外される。
【００１８】
図５は、ズーミング処理起動テーブル（ＴＢＬ−Ｃ）２１３の構成例を示したものであり、このシステムで扱うことのできる各種アプリケーションプログラムと、そのアプリケーションプログラムの表示に関する拡大・縮小処理ルーチン（ズーミング処理機能）をコールするための呼び出し先（エントリ）とがそれぞれ対応付けられて登録されている。このズーミング処理起動テーブル（ＴＢＬ−Ｃ）２１３を参照することで、特定されたアプリケーションプログラムについて、当該アプリケーションプログラムのズーミング処理機能（ズーミング処理ルーチン）をコールすることができる。
【００１９】
図６は、このズーミングユーティリティプログラム２０１の処理手順を示すフローチャートである。
【００２０】
コンピュータ本体１の筐体上面に設けられた拡大ボタン１０Ａまたは縮小ボタン１０Ｂが操作されると、キーボード・エンベッテッドコントローラ１９は、当該拡大ボタン１０Ａまたは縮小ボタン１０Ｂの操作に伴うイベントを、イベント待ちの状態（ステップＳ１０）にあるＣＰＵ１１に通知する。一方、ＣＰＵ１１は、キーボード・エンベッテッドコントローラ１９よりボタン操作に伴うイベント通知を受けると（ステップＳ１１）、メモリ１３に格納されたズーミングユーティリティプログラム２０１に従い、起動中のすべてのウィンドウのクラス名またはクラス名とウィンドウ名とをオペレーティングシステム（ＯＳ）に問い合わせることによって検索し（ステップＳ１２）、各ウィンドウに情報を表示するアプリケーションプログラムをアプリケーション参照テーブル（ＴＢＬ−Ａ）２１１を参照することにより特定する（ステップＳ１３）。
【００２１】
そして、ＣＰＵ１１は、それらのアプリケーションプログラムそれぞれについて、ズーミングユーティリティに関するプロパティ設定テーブル（ＴＢＬ−Ｂ）２１２を参照することにより、拡大・縮小機能をもつかどうかを調べ（ステップＳ１４）、もし、拡大・縮小機能をもっていれば（ステップＳ１４のＹｅｓ）、ズーミング処理起動テーブル（ＴＢＬ−Ｃ）２１３を参照することにより、その特定したアプリケーションプログラムのズーミング処理機能（ズーミング処理ルーチン）をコールし、この拡大ボタン１０Ａまたは縮小ボタン１０Ｂの操作に従ったズーミング処理を実行する（ステップＳ１５）。
【００２２】
また、ＣＰＵ１１は、あるウインドウについてこの一連の処理を終えると、すべてのウインドウに対して処理を完了したかどうかを判断し（ステップＳ１６）、未処理のウインドウが残っていれば（ステップＳ１６のＮｏ）、そのウインドウについてステップＳ１３からの処理を繰り返す。一方、すべてのウインドウに対して処理を完了した場合（ステップＳ１６のＹｅｓ）、ＣＰＵ１１は、このイベントについての処理を終了し（ステップＳ１７）、ステップＳ１０のイベント待ち状態に復帰する。
【００２３】
図７および図８は、このズーミングユーティリティプログラム２０１の処理により起動中の各ウィンドウ内の表示内容の一括拡大表示例を示す図である。
【００２４】
いま、このコンピュータシステムの表示デバイス１２１には、図７に示す画面表示がなされているものとする。すなわち、基本画面であるデスクトップ画面上にウインドウＷａおよびウインドウＷｂの２つのウインドウが開かれ、このうち、ウインドウＷａがいわゆるアクティブな状態となっている。このウインドウＷａおよびウインドウＷｂ内には、異なる２つのアプリケーションプログラムが各々情報を表示している。また、このデスクトッブ画面上の下部には、タスクバーＴＢの表示領域が確保されており、その中に、起動中のアプリケーションプログラムを表す３つのタスクボタンＢａ，Ｂｂ，Ｂｃが表示されている。ここでは、タスクボタンＢａで表されるアプリケーションプログラムがウインドウＷａ内で情報表示を行い、タスクボタンＢｂで表されるアプリケーションプログラムがウインドウＷｂ内で情報表示を行っているものとする。つまり、タスクボタンＢｃで表されるアプリケーションプログラムが情報表示を行うウインドウは、いわゆる最小化された状態にあることになる。
【００２５】
ここで、各ウインドウＷａ，Ｗｂ内の表示を拡大したいと考えた場合、ユーザは、拡大ボタン１０Ａを押下操作すれば良い。そうすると、前述のように、キーボード・エンベッテッドコントローラ１９から当該ボタン操作に伴うイベントがＣＰＵ１１に通知されるので、ＣＰＵ１１により、ズーミングユーティリティプログラム２０１に従った拡大表示制御が実行される。図８は、拡大ボタン１０Ａが押下操作された後の表示デバイス１２１の画面表示例を示す図である。図示のように、アクティブ状態のウインドウＷａおよび非アクティブ状態のウインドウＷｂの双方、つまりデスクトップ画面上に開かれたすべてのウインドウ内の表示内容が一括して拡大表示されている。
【００２６】
なお、この拡大ボタン１０Ａの押下操作に基づく拡大表示制御は、その押下の度ごとに一定の倍率で段階的に拡大されていくように実行される。つまり、この図８に示した画面表示が表示デバイス１２１になされた状態で拡大ボタン１０Ａがさらに押下されると、その表示内容がさらに１段階拡大されることになる。
【００２７】
また、この図８に示した画面表示が表示デバイス１２１になされた状態で縮小ボタン１０Ｂが押下操作されると、これに伴うイベントがキーボード・エンベッテッドコントローラ１９からＣＰＵ１１に通知され、ズーミングユーティリティプログラム２０１に従った縮小表示制御が実行される。その結果、この縮小ボタン１０Ｂが押下操作された後の表示デバイス１２１の画面表示は、図７に示した状態に戻ることになり、この状態でさらに縮小ボタン１０Ｂが押下されると、その表示内容がさらに１段階縮小されることになる。
【００２８】
なお、図８に示した画面表示が表示デバイス１２１になされた状態、つまり、図７に示した画面表示が表示デバイス１２１になされた状態で拡大ボタン１０Ａが押下操作された後、タスクボタンＢｃが例えばマウスでクリックされると、図９に示すように、このアプリケーションプログラムが情報表示を行うウインドウＷｃの最小化が解除されてデスクトップ上に開かれ、ウインドウＷａに代わってアクティブな状態となる。そして、先の拡大ボタン１０Ａの押下操作に基づく拡大表示制御は、このウインドウＷｃが最小化された状態にあった当該アプリケーションプログラムにも及ぶので、この時に開かれたウインドウＷｃ内の表示内容は、その他のウインドウＷａ，Ｗｂと同じように１段階拡大された状態となる。
【００２９】
また、ズーミングユーティリティプログラム２０１は、各ウインドウＷａ，ｗｂ内の表示内容の拡大・縮小と併せて、基本画面であるデスクトップ画面上に表示されたアイコンを拡大・縮小する。ＣＰＵ１１は、キーボード・エンベッテッドコントローラ１９より例えば拡大ボタン１０Ａの押下操作に伴うイベント通知を受けると、デスクトップ画面上に設けられたアイコン（図７および図８のＩａ，Ｉｂ，…）のレジストリィ内にある表示サイズを一定の拡大倍率で更新し、デスクトップ画面上のアイコン（Ｉａ，Ｉｂ，…）を拡大表示する。
【００３０】
なお、前述した実施形態では、コンピュータ本体１の筐体上面に設けた拡大ボタン１０Ａおよび縮小ボタン１０Ｂを操作して、アクティブウィンドウの内容、およびデスクトップ画面上のアイコンを対象に、拡大・縮小表示を行う例を示したが、この拡大ボタン１０Ａ、縮小ボタン１０Ｂに代わって、他の操作手段を用いることも可能である。例えばデスクトップ画面上でマウスの右ボタンがクリックされた際に、図１０に示すような表示の拡大・縮小操作画面７１を表示し、当該画面７１内の拡大ボタン７２Ａまたは縮小ボタン７２Ｂがクリック操作された場合に、各ウィンドウの表示内容やデスクトップ画面上のアイコンを拡大または縮小することも可能である。また、図１１に示すように、コンピュータ本体１の筐体上面に設けた操作ユニット５に、拡大ボタン７２Ａおよび縮小ボタン７２Ｂに代わって拡大縮小ダイヤル７５を設け、このダイヤル操作で各ウィンドウ内の表示内容やデスクトップ画面上のアイコンを連続的に拡大・縮小表示することも可能である。さらにキーボード２０上の特定の単一キーや特定の組合せキーを拡大ボタン１０Ａおよび縮小ボタン１０Ｂの機能に割り付けることも可能である。
【００３１】
また、前述した実施形態では、各ウィンドウ内の表示内容やデスクトップ画面上のアイコンを対象に拡大・縮小表示を行ったが、本発明は、例えばズーミング処理機能以外の表示に関する同一の処理機能（処理ルーチン）を複数のアプリケーションプログラムが有する場合に、そのすべてのアプリケーションプログラムの処理ルーチンを拡大ボタン１０Ａおよび縮小ボタン１０Ｂで一括して実行するように応用することも可能である。
【００３２】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３３】
【図１】この発明の実施形態に係る情報処理装置の外観を示す図
【図２】同実施形態のコンピュータのシステム構成を示す図
【図３】同実施形態のコンピュータが保持するアプリケーション参照テーブル（ＴＢＬ−Ａ）の構成例を示す図
【図４】同実施形態のコンピュータが保持するズーミングユーティリティに関するプロパティ設定テーブル（ＴＢＬ−Ｂ）の構成例を示す図
【図５】同実施形態のコンピュータが保持するズーミング処理起動テーブル（ＴＢＬ−Ｃ）２１３の構成例を示す図
【図６】同実施形態のズーミングユーティリティプログラムの処理手順を示すフローチャート
【図７】同実施形態のズーミングユーティリティプログラムの処理により各ウィンドウ内の表示内容の一括拡大表示例を示す第１の図（拡大前）
【図８】同実施形態のズーミングユーティリティプログラムの処理により各ウィンドウ内の表示内容の一括拡大表示例を示す第２の図（拡大後）
【図９】同実施形態のズーミングユーティリティプログラムの処理により各ウィンドウ内の表示内容の一括拡大表示例を示す第３の図（最小化の解除時）
【図１０】同実施形態の操作手段の第１の変形例を示す図
【図１１】同実施形態の操作手段の第２の変形例を示す図
【符号の説明】
【００３４】
１…コンピュータ本体、２…ディスプレイユニット、４…タッチパネル、５…操作ユニット、１０Ａ…拡大ボタン、１０Ｂ…縮小ボタン、１１…ＣＰＵ、１２…グラフィック・メモリコントローラハブ、１３…メモリ、１４…グラフィックスコントローラ、１５…Ｉ／Ｏハブ、１６…ＢＩＯＳ−ＲＯＭ、１７…ハードディスクドライブ（ＨＤＤ）、１８…サウンドコントローラ、１９…キーボード・エンベッテッドコントローラ、２０…キーボード、１２１…表示デバイス、１４１…ＶＲＡＭ、２０１…ズーミングユーティリティプログラム（ＺＵＰ）、２０２…レジストリ群、２１１…アプリケーション参照テーブル、２１２…プロパティ設定テーブル、２１３…ズーミング処理起動テーブル。
【図１】
2005165471.tif 000003
【図２】
2005165471.tif 000004
【図３】
2005165471.tif 000005
【図４】
2005165471.tif 000006
【図５】
2005165471.tif 000007
【図６】
2005165471.tif 000008
【図７】
2005165471.tif 000009
【図８】
2005165471.tif 000010
【図９】
2005165471.tif 000011
【図１０】
2005165471.tif 000012
【図１１】
2005165471.tif 000013